(57)【要約】【課題】容器軸回りの位置を容易かつ確実に合わせることができる。【解決手段】食品Ｎが収容される大収容部１１と、調味料Ｔが収容される小収容部１２と、が一体に形成された食品容器１であって、その平面視形状は円形状とされるとともに、大収容部１１と小収容部１２との接続部分１３は前記円形状の弦をなし、大収容部１１および小収容部１２それぞれの開口端面１１ａ、１２ａは、容器軸Ｏに直交する同一の直交面上に位置するとともに、小収容部１２の底壁部は、大収容部１１の底壁部よりも容器軸Ｏ方向に沿う前記開口端面１１ａ、１２ａ側に位置し、大収容部１１の側壁部１６のうち、前記接続部分１３が位置する容器軸Ｏ回りに沿う周方向部分１６ａは、平坦面に形成されている。【選択図】図１
2010228778.tif 000002
【特許請求の範囲】
【請求項１】
食品が収容される大収容部と、調味料が収容される小収容部と、が一体に形成された食品容器であって、
その平面視形状は円形状とされるとともに、前記大収容部と小収容部との接続部分は前記円形状の弦をなし、
前記大収容部および小収容部それぞれの開口端面は、容器軸に直交する同一の直交面上に位置するとともに、前記小収容部の底壁部は、大収容部の底壁部よりも容器軸方向に沿う前記開口端面側に位置し、
前記大収容部の側壁部のうち、前記接続部分が位置する容器軸回りに沿う周方向部分は、平坦面に形成されていることを特徴とする食品容器。
【請求項２】
請求項１記載の食品容器であって、
前記小収容部の底壁部は、前記大収容部の側壁部の外面に突設されていることを特徴とする食品容器。
【請求項３】
請求項１または２に記載の食品容器であって、
前記大収容部の内面には凹凸部が形成されていることを特徴とする食品容器。
【発明の詳細な説明】
【技術分野】
【０００１】
本発明は、食品が収容される食品容器に関するものである。
【背景技術】
【０００２】
この種の食品容器として、例えば下記特許文献１に示されるように、納豆等の食品が収容される大収容部と、調味料が収容される小収容部と、を備えるとともに、これらの両収容部が一体に形成された構成が知られている。
【先行技術文献】
【特許文献】
【０００３】
【特許文献１】特開２００２−１２８１１４号公報
【発明の概要】
【発明が解決しようとする課題】
【０００４】
ところで近年では、例えば大収容部内に納豆等の食品を入れたり、小収容部内に調味料を入れたりする装置等に対して、容器軸回りの位置を容易かつ確実に合わせることができる食品容器が要望されている。
【０００５】
この発明は、このような事情を考慮してなされたもので、容器軸回りの位置を容易かつ確実に合わせることができる食品容器を提供することを目的とする。
【課題を解決するための手段】
【０００６】
上記課題を解決して、このような目的を達成するために、本発明の食品容器は、食品が収容される大収容部と、調味料が収容される小収容部と、が一体に形成された食品容器であって、その平面視形状は円形状とされるとともに、前記大収容部と小収容部との接続部分は前記円形状の弦をなし、前記大収容部および小収容部それぞれの開口端面は、容器軸に直交する同一の直交面上に位置するとともに、前記小収容部の底壁部は、大収容部の底壁部よりも容器軸方向に沿う前記開口端面側に位置し、前記大収容部の側壁部のうち、前記接続部分が位置する容器軸回りに沿う周方向部分は、平坦面に形成されていることを特徴とする。
【０００７】
この発明によれば、小収容部の底壁部が、大収容部の底壁部よりも容器軸方向に沿う前記開口端面側に位置しているので、大収容部の側壁部のうち、前記接続部分が位置する容器軸回りに沿う周方向部分（以下、平坦部分という）を外部に露呈させることができる。これにより、食品容器の平面視形状が円形状とされていることと相俟って、食品容器の容器軸回りの位置を合わせるときに、例えば、大収容部の前記平坦部分を基準にしたり、あるいは該平坦部分を押す等の操作をしたりすることが可能になり、容器軸回りの位置を容易かつ確実に合わせることができる。
さらに、食品容器の平面視形状が円形状とされ、前記接続部分が前記円形状の弦をなしているので、食品および調味料が入れられた食品容器を密封する際に、この容器を密封装置に対して容器軸回りに位置合わせする必要がない構成とすることもでき、その取り扱い性を向上させることができる。
なお例えば、前記平坦部分の容器軸方向の大きさを小収容部の容器軸方向の大きさよりも大きくして、その平面積を広くすると、容器軸回りの位置をより一層容易かつ確実に合わせることができる。
【０００８】
ここで、前記小収容部の底壁部は、前記大収容部の側壁部の外面に突設されてもよい。
【０００９】
この場合、小収容部の底壁部が大収容部の側壁部の外面に突設されていて、小収容部の側壁部のうち前記接続部分に連なる部分と、大収容部の側壁部のうち前記接続部分に連なる部分と、が共通の壁部により構成されているので、例えば、大収容部および小収容部それぞれの側壁部が互いに独立している場合と比べて、材料の使用量を低減することが可能になり、低コスト化を図ることができる。なお例えば、この食品容器を射出成形で形成する場合には成形性を向上させることもできる。
【００１０】
また、前記大収容部の内面には凹凸部が形成されてもよい。
【００１１】
この場合、大収容部の内面に凹凸部が形成されているので、大収容部内に調味料を加えた後にこの大収容部内の食品をかき混ぜるときに、効率よく調味料と食品とを混ぜ合わせることができる。
【発明の効果】
【００１２】
この発明によれば、容器軸回りの位置を容易かつ確実に合わせることができる。
【図面の簡単な説明】
【００１３】
【図１】本発明に係る一実施形態として示した食品容器の斜視図である。
【図２】図１に示す食品容器の一部破断斜視図である。
【図３】本発明に係る他の実施形態として示した食品容器の一部破断斜視図である。
【発明を実施するための形態】
【００１４】
以下、図面を参照し、この発明の実施の形態について説明する。
本実施形態に係る食品容器１は、図１および図２に示されるように、食品が収容される有底筒状の大収容部１１と、調味料が収容される有底筒状の小収容部１２と、を備え、これらの両収容部１１、１２が一体に形成されている。
食品容器１の平面視形状は円形状となっている。大収容部１１と小収容部１２との接続部分１３は前記円形状の弦をなしている。大収容部１１の開口端面１１ａの平面積は、小収容部１２の開口端面１２ａの平面積よりも大きくなっている。
【００１５】
以下、前記円形状の中心を通り、かつ大収容部１１の開口端面１１ａおよび底壁部１４に直交する直線を容器軸Ｏといい、容器軸Ｏ方向に沿って大収容部１１の開口端面１１ａ側を上側、大収容部１１の底壁部１４側を下側といい、また容器軸Ｏに直交する方向を径方向といい、さらに容器軸Ｏを中心に周回する方向を周方向という。
大収容部１１および小収容部１２それぞれの開口端面１１ａ、１２ａは、容器軸Ｏに直交する同一の直交面上に位置している。また、小収容部１２の底壁部１５は、大収容部１１の底壁部１４よりも上側に位置しており、小収容部１２は大収容部１１よりも浅くなっている。
【００１６】
そして本実施形態では、大収容部１１の側壁部１６のうち、前記接続部分１３が位置する容器軸Ｏ回りに沿う周方向部分（以下、「平坦部分」という）１６ａは、平坦面に形成されている。すなわち、平坦部分１６ａは、容器軸Ｏ方向、および食品容器１の平面視で前記接続部分１３が延在する方向の双方向に沿って延びる平坦面に形成されている。図示の例では、前記平坦部分１６ａの容器軸Ｏ方向の大きさが、小収容部１２の容器軸Ｏ方向の大きさよりも大きくなっている。
【００１７】
また本実施形態では、大収容部１１の側壁部１６のうち、底壁部１４に連なり下側に位置する下側部分１７は、この部分１７に上側から連なる中間部分（開口端面側部分）１８よりも小径に形成されるとともに、中間部分１８に第１段部２０を介して連なっている。
図示の例では、大収容部１１の側壁部１６のうち、前記平坦部分１６ａ以外に位置する部分は、これらの下側部分１７、第１段部２０および中間部分１８のみならず、中間部分１８よりも大径に形成された上端部分１９、およびこの上端部分１９を中間部分１８に連結する第２段部２１をも備えている。
なお、大収容部１１の側壁部１６のうち、下側部分１７の容器軸Ｏ方向の大きさが最大とされ、上端部分１９の容器軸Ｏ方向の大きさが最小となっている。また、下側部分１７の容器軸Ｏ方向における長さは、側壁部１６の容器軸Ｏ方向における長さの半分程度となっている。
【００１８】
さらに本実施形態では、大収容部１１の内面に凹凸部２２が形成されている。図示の例では、凹凸部２２は、大収容部１１の側壁部１６における下側部分１７のうち、前記平坦部分１６ａ以外の部分の内面に形成されている。凹凸部２２は、前記下側部分１７のうち平坦部分１６ａ以外の部分の内面に、容器軸Ｏ方向の全長にわたって連続して延びる凹部および突部が周方向に沿って交互に配設されて構成されている。図示の例では、凹凸部２２は、大収容部１１の内面のみならず外面にも形成されていて、大収容部１１の側壁部１６の肉厚は全域にわたって同等になっている。
【００１９】
ここで本実施形態では、小収容部１２の底壁部１５は、大収容部１１の側壁部１６における前記平坦部分１６ａの外面に突設されている。これにより、小収容部１２の側壁部２３のうち前記接続部分１３に連なる部分と、大収容部１１の側壁部１６のうち前記接続部分１３に連なる部分と、が共通の壁部２４により構成されている。なお図示の例では、小収容部１２の底壁部１５、および前述の第２段部２１はそれぞれ、容器軸Ｏ方向に沿うほぼ同じ位置に配設されている。
【００２０】
小収容部１２の側壁部２３のうち、前記接続部分１３に連なる部分を除く小円弧部分２３ａは、大収容部１１の側壁部１６のうち前記平坦部分１６ａ以外の部分に位置する上端部分１９に、段差無く連なっており、これらの小円弧部分２３ａおよび上端部分１９の全体で容器軸Ｏを中心とする円環状体をなしている。また小円弧部分２３ａおよび上端部分１９それぞれの上端開口縁には、全周にわたって容器軸Ｏを中心とする円環状のフランジ部２５が径方向の外側に向けて突設されている。
【００２１】
なお、図示の例では、前記共通の壁部２４は、フランジ部２５の上面よりも下方に位置している。また、大収容部１１内には食品として納豆Ｎが収容され、小収容部１２内には調味料としてゼリー状のたれＴが収容されている。さらに、フランジ部２５の上面にシートＳが貼着されることにより、大収容部１１内の納豆Ｎおよび小収容部１２内のたれＴが密封されている。
【００２２】
以上説明したように、本実施形態による食品容器１によれば、小収容部１２の底壁部１５が、大収容部１１の底壁部１４よりも上側に位置しているので、大収容部１１の側壁部１６における前記平坦部分１６ａを外部に露呈させることができる。これにより、食品容器１の平面視形状が円形状とされていることと相俟って、食品容器１の容器軸Ｏ回りの位置を合わせるときに、例えば、大収容部１１の前記平坦部分１６ａを基準にしたり、あるいは該平坦部分１６ａを押す等の操作をしたりすることが可能になり、容器軸Ｏ回りの位置を容易かつ確実に合わせることができる。
【００２３】
さらに、食品容器１の平面視形状が円形状とされ、前記接続部分１３が前記円形状の弦をなしているので、納豆ＮおよびたれＴが入れられた食品容器１を密封する際に、この容器１を密封装置に対して容器軸Ｏ回りに位置合わせする必要がない構成とすることもでき、その取り扱い性を向上させることができる。
【００２４】
さらに本実施形態では、小収容部１２の底壁部１５が大収容部１１の側壁部１６の外面に突設されていて、小収容部１２の側壁部２３のうち前記接続部分１３に連なる部分と、大収容部１１の側壁部１６のうち前記接続部分１３に連なる部分と、が共通の壁部２４により構成されているので、例えば、大収容部１１および小収容部１２それぞれの側壁部１６、２３が互いに独立している場合と比べて、材料の使用量を低減することが可能になり、低コスト化を確実に図ることができる。
また、小収容部１２の底壁部１５が大収容部１１の側壁部１６の外面に突設されていることから、この食品容器１を射出成形で形成する場合に成形性を向上させることもできる。
【００２５】
また、大収容部１１の内面に凹凸部２２が形成されているので、大収容部１１内にたれＴを加えた後にこの大収容部１１内の納豆Ｎをかき混ぜるときに、効率よくたれＴと納豆Ｎとを混ぜ合わせつつ泡立たせることができる。
【００２６】
なお、本発明の技術的範囲は前記実施の形態に限定されるものではなく、本発明の趣旨を逸脱しない範囲において種々の変更を加えることが可能である。
【００２７】
例えば、前記実施形態では、前記共通の壁部２４を、フランジ部２５の上面よりも下方に位置させたが、フランジ部２５の上面と同じ上下方向位置に配置してもよい。
さらに、大収容部１１の側壁部１６に第１段部２０および第２段部２１を形成したが、いずれか一方のみを形成してもよいし、あるいは図３に示されるように両者とも形成しなくてもよい。
さらにまた、図３に示されるように、大収容部１１の側壁部１６の内面に全周にわたって延びる凸部１６ｃを形成することにより、複数の食品容器２を容器軸Ｏ方向に積み重ねたときに、互いに隣接する食品容器２の底壁部１４同士や側壁部１６同士の間に隙間が形成されることとなり、容器軸Ｏ方向に積み重ねられた複数の食品容器２を１つずつ容易かつ確実に取り出すことができる。
なお、この凸部１６ｃは、周方向に沿って連続して延在してもよいし、断続的に延在してもよいし、あるいは点在してもよい。また、この凸部１６ｃによって、大収容部１１内にたれＴを加えた後にこの大収容部１１内の納豆Ｎをかき混ぜるときに、効率よくたれＴと納豆Ｎとを混ぜ合わせることもできる。さらに、凸部１６ｃに代えて、容器軸Ｏ方向に沿って延在し、かつ周方向に間隔をあけて複数配設された凸部を採用してもよい。
【００２８】
また前記実施形態では、大収容部１１の内面に凹凸部２２を形成したが、形成しなくてもよい。
さらに凹凸部２２は、大収容部１１の側壁部１６の内面にその全域にわたって形成してもよい。
また前記実施形態では、凹凸部２２として、容器軸Ｏ方向の全長にわたって連続して延びる凹部および突部が周方向に沿って交互に配設された構成を示したが、これに限らず例えば、容器軸Ｏ方向に沿って断続的に延びる凹部および突部が周方向に沿って交互に配設された構成や、多数の凹部および突部が互いに隣接して配設された構成等適宜変更してもよい。
さらに、凹凸部２２は、大収容部１１の底壁部１４の内面に形成してもよい。
さらにまた、前記実施形態では、小収容部１２内に収容する調味料としてゼリー状のたれＴを示したが、これに代えて例えば、小袋に包装されたたれやからし等を小収容部１２内に収容してもよい。さらに、前記実施形態では、大収容部１１内に収容する食品として納豆Ｎを示したが、これに限らず適宜変更してもよい。さらにまた、小収容部１２を複数に区画して、これら区画された各部分に互いに異なる調味料を各別に収容するようにしてもよい。
【００２９】
また前記実施形態では、小収容部１２の底壁部１５を大収容部１１の側壁部１６の外面に突設し、小収容部１２の側壁部２３のうち前記接続部分１３に連なる部分と、大収容部１１の側壁部１６のうち前記接続部分１３に連なる部分と、を共通の壁部２４により構成したが、これに代えて例えば、図３に示されるように、小収容部１２の側壁部２３のうち前記接続部分１３に連なる部分２３ｂと、大収容部１１の側壁部１６のうち前記接続部分１３に連なる部分１６ｂと、を互いに独立させてもよい。さらにこの構成においては、小収容部１２の側壁部２３のうち前記接続部分１３に連なる部分２３ｂと、大収容部１１の側壁部１６のうち前記接続部分１３に連なる部分１６ｂと、を互いに当接させてもよいし、あるいは図３に示されるように、径方向に互いに離間させてもよい。
【００３０】
その他、本発明の趣旨を逸脱しない範囲で、上記した実施の形態における構成要素を周知の構成要素に置き換えることは適宜可能であり、また、上記した変形例を適宜組み合わせてもよい。
【産業上の利用可能性】
【００３１】
容器軸回りの位置を容易かつ確実に合わせることができる。
【符号の説明】
【００３２】
１、２  食品容器
１１  大収容部
１１ａ  大収容部の開口端面
１２  小収容部
１２ａ  小収容部の開口端面
１３  接続部分
１４  大収容部の底壁部
１５  小収容部の底壁部
１６  大収容部の側壁部
１６ａ  平坦部分（周方向部分）
２２  凹凸部
Ｎ  納豆（食品）
Ｏ  容器軸
Ｔ  たれ（調味料）
【図１】
2010228778.tif 000003
【図２】
2010228778.tif 000004
【図３】
2010228778.tif 000005